(57)【要約】音声増幅器は、ローカルインターフェースシステムと、音声処理システムとを含む。ローカルインターフェースシステムは、パネル実装表示装置と、ユーザ入力装置とを含むこともできる。ローカルインターフェースシステムを用いて、音声増幅器をローカルで構成して制御することもできる。また、音声増幅器をネットワークに接続する場合、ローカルインターフェースシステムを用いて、ネットワークに接続した他の装置を音声増幅器から構成および／または制御することもできる。音声処理システムは、音声入力信号を処理して、音声出力信号を生成することもできる。音声出力信号を、スイッチング増幅器出力ステージを含むパワーステージで増幅することもできる。音声処理システムは処理を動的に構成して、パワーステージの周波数特性を最適化することもできる。
2006514808.tif 000002
【特許請求の範囲】
【請求項１】
以下を備える、音声システム用増幅器：
パネル実装表示画面とユーザ入力装置とを含むローカルインターフェースシステムと、
ローカルインターフェースシステムに接続する音声処理システムであって、パケット交換ネットワークと接続して、パケット交換ネットワークに接続した表示画面とユーザ入力装置とを用いて起動するコマンドにより、パケット交換ネットワークを介して他の装置へ送信するように構成可能な他の装置へのアクセスおよび構成をローカルインターフェースシステムによりイネーブルする音声処理システムと、
音声処理システムを用いて制御し監視して、複数の増幅した音声出力信号を生成するよう構成されたパワーステージ。
【請求項２】
音声処理システムは、ローカルインターフェースシステムまたはパケット交換ネットワークを介する通信の１つを用いて、パワーステージに供給する音声入力信号を処理するよう構成可能である請求項１に記載の増幅器。
【請求項３】
音声処理システムは、音声信号制御装置、ネットワークインターフェースと、デジタル信号プロセッサとを備え、デジタル信号プロセッサは、音声信号制御装置が指示するように音声信号を受信処理するように構成される請求項１に記載の増幅器。
【請求項４】
ローカルインターフェースシステムは、非同期シリアルリンクを介して音声処理システムと通信するよう動作可能なインターフェース制御装置を含み、音声処理システムについてもイーサネット（登録商標）通信プロトコルを用いてパケット交換ネットワークを介して通信するよう構成されている請求項１に記載の増幅器。
【請求項５】
音声処理システムは増幅器の第１の動作パラメータを監視するように構成され、ローカルインターフェースシステムは増幅器の第２の動作パラメータを監視するように構成される請求項１に記載の増幅器。
【請求項６】
第１および第２の動作パラメータを、ローカル通信リンクを介して音声処理システムとローカルインターフェースシステムとの間で通信する請求項５に記載の増幅器。
【請求項７】
音声処理システムは、ユーザインターフェースおよび表示画面から供給するコマンドまたはパケット交換ネットワークから音声処理システムへ供給するコマンドに基づいて、入力音声信号に加えるゲインの調整を行うように構成される請求項１に記載の増幅器。
【請求項８】
パワーステージは、パルス幅変調増幅器出力ステージを備える請求項１に記載の増幅器。
【請求項９】
パワーステージは、逆電流パワーコンバータである出力ステージを備える請求項１に記載の増幅器。
【請求項１０】
パネル実装表示画面は複数のラインキャラクタ液晶表示装置で、ユーザインターフェースは複数の回転エンコーダと複数のソフトボタンとを含む請求項１に記載の増幅器。
【請求項１１】
以下を備える、音声システム用増幅器：
複数の増幅した音声信号を生成するよう構成されたスイッチング増幅器出力ステージを有するパワーステージと、
パネル実装表示画面とユーザ入力装置とを含むローカルインターフェースシステムと、
ローカルインターフェースシステムと接続した音声信号制御装置であって、パケット交換ネットワークを介して通信するように構成された音声信号制御装置と、
パワーステージと接続して音声信号制御装置と通信するデジタル信号プロセッサであって、パワーステージへ供給して増幅する少なくとも１つの音声入力信号を受信処理するように構成されたデジタル信号プロセッサとを備え、
デジタル信号プロセッサに含まれる少なくとも１つの音声入力信号のゲインは、ローカルインターフェースシステムを用いてローカルで起動するゲインコマンドにより調整可能であり、ゲインは、パケット交換ネットワークを介して受信可能なコマンドによりさらにリモートで調整可能である。
【請求項１２】
音声信号制御装置はまた、プログラム可能な入力プロセッサおよびローカルインターフェースシステムのそれぞれに入力として供給される動作パラメータに基づいて、デジタル信号プロセッサによる少なくとも１つの音声信号の処理を動的に調整するよう構成されている請求項１０に記載の増幅器。
【請求項１３】
音声信号制御装置は、増幅した音声信号の出力電圧および電流に基づいて、デジタル信号プロセッサによる少なくとも１つの音声信号の処理を動的に調整するように構成される請求項１０に記載の増幅器。
【請求項１４】
音声信号制御装置は、増幅した音声信号を、音声信号制御装置からデジタル信号プロセッサへ供給する所定の音声入力信号から生成した所定の増幅した音声信号と比較することに基づいて、デジタル信号プロセッサによる処理を動的に調整して、パワーステージの周波数特性を最適化するよう構成される請求項１０に記載の増幅器。
【請求項１５】
ローカルインターフェースシステムをイネーブルして、音声信号制御装置を用いてパケット交換ネットワークを介してコマンドを通信して、パケット交換ネットワークに接続した他の装置のアクセスまたは構成を行う請求項１０に記載の増幅器。
【請求項１６】
コマンドを、パネル搭載表示画面とユーザ入力装置とを用いて起動する請求項１５に記載の増幅器。
【請求項１７】
少なくとも１つの音声入力信号は１つだけの音声入力信号であり、音声信号制御装置は選択的にデジタル信号プロセッサを構成して、１つだけの音声入力信号を第１および第２の音声出力信号としてパワーステージに供給することもできる請求項１０に記載の増幅器。
【請求項１８】
少なくとも１つの音声入力信号は１つだけの音声入力信号であり、音声信号制御装置は選択的にデジタル信号プロセッサを構成して、１つだけの音声入力信号を変換して、１つだけの音声入力信号を第１の音声出力信号としてパワーステージに供給し、変換した１つだけの音声入力信号を第２の音声出力信号としてパワーステージに供給する請求項１０に記載の増幅器。
【請求項１９】
ローカルインターフェースシステムは、第１のセキュリティアクセスレベルと第２のセキュリティアクセスレベルとを含み、第１のセキュリティアクセスレベルを構成して、第１のセキュリティアクセスレベルでユーザが正常に認証される場合はパケット交換ネットワークを介して音声信号制御装置にアクセスできるようにし、第２のセキュリティアクセスレベルを構成して、音声信号制御装置により第２のセキュリティアクセスレベルでユーザが正常に認証される場合にだけ存在する制御のサブセットとセットアップ変数とにアクセスできるようにする請求項１０に記載の増幅器。
【請求項２０】
増幅した出力信号は、約１２５０ワット〜約８０００ワットの範囲にある請求項１０に記載の増幅器。
【請求項２１】
以下を含む、音声システム用増幅器：
スイッチング増幅器出力ステージを含むパワーステージであって、負荷に複数の増幅した音声信号を供給するように構成されたパワーステージと、
音声入力信号を受信して、処理した音声入力信号をパワーステージに供給して増幅するよう構成された音声処理システムと、
音声処理システムに接続したローカルインターフェースシステムであって、表示画面とユーザインターフェースとを備えるローカルインターフェースシステムとを備え、
表示画面は複数のラインキャラクタ液表示装置で、ユーザインターフェースは回転エンコーダと複数のボタンとを含み、回転エンコーダとボタンとはそれぞれ、複数のラインキャラクタ液晶表示装置の内容に依存する機能を有し、
音声処理システムを構成して、動的に音声入力信号処理を調整してパワーステージの周波数特性を増幅した音声信号の機能として最適化する。
【請求項２２】
ローカルインターフェースシステムは、ボタンに割り当てられる異なる機能を示す、各画面に含まれる属性を含む複数の画面を生成するよう構成される請求項２１に記載の増幅器。
【請求項２３】
ユーザがアクセス可能なハウジングの前面パネルに表面実装される表示画面およびユーザインターフェースを除き、ハウジングと、パワーステージと、音声処理システムと、ハウジング内に配置されるローカルインターフェースシステムとをさらに含む請求項２１に記載の増幅器。
【請求項２４】
増幅した音声信号を帰還信号として音声処理システムに供給して、シリアル通信リンクを介して音声処理システムによりローカルインターフェースシステムと通信する請求項２１に記載の増幅器。
【請求項２５】
パワーステージは、ローカルインターフェースシステムと音声処理システムとの組み合わせを用いて制御し監視するように構成される請求項２１に記載の増幅器。
【請求項２６】
音声処理システムは、ローカルインターフェースシステムとシリアル通信を行うように構成され、パケット交換ネットワークを介してイーサネット（登録商標）ベースの通信を行うように構成される請求項２１に記載の増幅器。
【請求項２７】
音声処理システムは、音声処理システムが生成した所定のテスト信号をパワーステージが増幅する場合に、増幅した音声信号を監視するように構成され、出力信号を音声処理システムにより所定の出力信号と比較し、音声処理システムを、処理した音声入力信号に対して周波数ベースの調整を行うことにより周波数特性を動的にに最適化して応答エラーを補正するよう構成する請求項２１に記載の増幅器。
【請求項２８】
音声処理システムは、処理した音声入力信号を濾波することにより周波数ベースの調整を行って、処理した音声入力信号の大きさを調整するように構成される請求項２７に記載の増幅器。
【請求項２９】
音声処理システムは、音声信号プロセッサと、デジタル信号プロセッサと、デジタルアナログコンバータとを備え、音声信号プロセッサはデジタル信号プロセッサの処理を調整するように構成され、パワーステージが受信する前に音声入力信号をデジタル信号プロセッサとデジタルアナログコンバータとを介して処理する請求項２１に記載の増幅器。
【請求項３０】
バランスデータ復元フィルタをさらに備え、デジタルアナログコンバータはバランス復元フィルタに供給するバランス出力を有する請求項２９に記載の増幅器。
【請求項３１】
音声処理システムは、ユーザインターフェースおよびパケット交換ネットワークのうちの１つから受信した待機コマンドに基づいて、増幅器を待機モードにしてスイッチング増幅器出力ステージの切換を一時停止するように構成される請求項２１に記載の増幅器。
【請求項３２】
音声処理システムは、送信制御プロトコルを用いてパケット交換ネットワークを介して通信するように構成される請求項２１に記載の増幅器。
【請求項３３】
以下を備える、音声システム用増幅器：
ローカルインターフェースシステムと、
ローカルインターフェースシステムに接続した音声処理システムであって、正のチャネルと負のチャネルとを有するバランス音声入力信号を処理して、正のチャネルと負のチャネルとを有するバランス音声出力信号を供給する音声処理システムと、
正のチャネルを濾波するよう構成された第１のサブフィルタと、バランス音声出力信号の負のチャネルを濾波するように構成された第２のサブフィルタとを含むバランス復元フィルタと、
バランス復元フィルタに接続したスイッチモードパワーステージであって、バランス音声出力信号を受信して増幅した音声出力信号を生成するように構成されるスイッチモードパワーステージ。
【請求項３４】
バランス復元フィルタは、バランス音声出力信号の電圧および電流の大きさを第１および第２のサブフィルタの間で分割するように構成される請求項３３に記載の増幅器。
【請求項３５】
音声処理システムは、音声処理システムが動的に調整可能な可変ゲインを有し、増幅器に供給される電圧の大きさに基づいて、バランス音声入力信号の大きさを調整するように構成される請求項３３に記載の増幅器。
【請求項３６】
ローカルインターフェースは、表示画面と、回転エンコーダと複数のボタンとを備え、回転エンコーダおよびボタンは表示装置に表示する画面により、各種機能が動的に割り当てられる請求項３３に記載の増幅器。
【請求項３７】
音声処理システムは、パケット交換ネットワークを介して通信するように構成され、ローカルインターフェースシステムは、パケット交換ネットワーク上の他の装置にアクセスして制御できるように構成される請求項３３に記載の増幅器。
【請求項３８】
電源要因補正機能を有する調整スイッチモードパワーサプライをさらに備え、パワーサプライは、調整した電源をローカルインターフェースシステムと、音声処理システムと、バランス復元フィルタと、出力ステージとに供給するように構成される請求項３３に記載の増幅器。
【請求項３９】
音声増幅器の周波数特性を最適化する方法であって、以下を含む方法：
デジタル信号プロセッサを用いて、所定の同調トーンを音声入力信号としてデジタル信号プロセッサに生成して、
デジタル信号プロセッサを用いて所定の音声入力信号を処理して、音声出力信号を生成して、
スイッチング増幅器出力ステージスイッチと、周波数依存出力インピーダンスを有する出力フィルタとを有するパワーステージを用いて音声出力信号を増幅して、
音声信号制御装置が増幅した音声出力信号を所定の増幅した音声出力信号と比較して、
音声信号制御装置がデジタル信号プロセッサによるの処理ダイナミック調整を指示して、パワーステージの周波数特性を最適化する。
【請求項４０】
処理のダイナミック調整を指示することは、デジタル信号プロセッサが処理した音声入力信号に対する周波数依存の大きさの調整を行うことを含む請求項３９に記載の方法。
【請求項４１】
処理のダイナミック調整を指示することは、音声信号制御装置を用いてデジタル信号プロセッサ内での濾波を自動的に変更することを含む請求項３９に記載の方法。
【請求項４２】
増幅した音声出力信号は、増幅した音声出力信号の電流および電圧の大きさを所定の電流および電圧の大きさと比較することを含む請求項３９に記載の方法。
【請求項４３】
増幅した音声出力信号を比較することは、増幅した音声出力信号と所定の増幅した音声出力信号との間の応答エラーを識別することを含む請求項３９に記載の方法。
【請求項４４】
処理のダイナミック調整を指示することは、基本的にフラットであるパワーステージの周波数特性を最適化することを含む請求項３９に記載の方法。
【請求項４５】
デジタル信号プロセッサを用いて所定の同調トーンを生成することは、同調トーンの生成を、起動が行われると自動的に始動するか、あるいはコマンドに応じて手動で始動することを含む請求項３９に記載の方法。
【発明の詳細な説明】
【技術分野】
【０００１】
（発明の背景）
（１．技術分野）
本発明は一般に音声増幅器に関し、特に詳しくは、音声増幅器のローカルインターフェースシステムに関する。
【背景技術】
【０００２】
（２．従来技術）
音響再生装置用の音声増幅器が周知である。音を表す入力音声信号を、音声増幅器に供給する。音声増幅器は、音声信号の大きさを増幅して、増幅した音声信号を出力音声信号として供給する。出力音声信号はスピーカまたは他の類似の装置を駆動することもできる。一般に、音声入力信号と音声出力信号との大きさの差が、音声増幅器の定格出力である。
【０００３】
また、音声増幅器は減衰器調整つまみを含む。減衰器調整つまみは、回転ノブ、押しボタンまたは音声増幅器に位置する手動調整の他のある形態とすることもできる。減衰器調整つまみを用いて、入力音声信号に加える減衰量を調整することができる。減衰が増加するにつれて、入力音声信号の増幅は減少する。音声増幅器の構成をさらにローカルで制御するには、一般に、音声増幅器ハウジングの内部または裏面に機械スイッチを備えることにより行う。音声増幅器のハードウェアに関する他の表示やユーザインターフェースは、減衰の大きさの表示および／または電源の表示を行う表示灯等の数字表示装置の形態である。
【０００４】
音声増幅器の遠隔操作も可能である。ネットワークとリモート端末とを用いて、１つ以上の音声増幅器に対するリモートインターフェースを形成することもできる。また、リモートインターフェースを、デジタル信号プロセッサ（ＤＳＰ）制御装置、スピーカプロセッサ、ミキシングコンソール等の他の電子機器等を用いて形成することもできる。リモート端末は、パーソナルコンピュータまたは他の類似の電算処理装置上で動作するソフトウェアアプリケーションを含むこともできる。パーソナルコンピュータは一般に、個別の音声増幅器（および／または他の機器）に関する動作パラメータを表示して操作する機能を含む。また、パーソナルコンピュータは、ネットワークを介して音声増幅器や他の機器との通信を行う通信ポートを含む。
【０００５】
各音声増幅器は、通信リンクを介してパーソナルコンピュータと通信するインターフェースポートを含むこともできる。インターフェースポートは、音声増幅器に入力／出力信号機能を構成することもできる。音声増幅器が生成した信号を通信プロトコルに変換して、ネットワークを介してパーソナルコンピュータに送信することもできる。また、インターフェースポートはリモート端末から入力する通信プロトコルを、インターフェースポートから音声増幅器へ出力する信号に変換することもできる。リモート端末が構成するユーザインターフェースを用いて、音声増幅器内の各種パラメータを調整することもできる。また、エラーログおよび警報機能を、パーソナルコンピュータ上で動作するソフトウェアアプリケーションにより形成することもできる。
【０００６】
しかしながら、音声システムの中には、リモートインターフェースシステムのコストがさらに大きくなったり複雑になったりできないものもある。また、このような遠隔操作は一般に、音声増幅器の目視検査を行うのが不自由な音声増幅器から離れたところにある。また、設定や制御に関するパラメータの中には、音声増幅器の内部および／または音声増幅器上にローカルでしか配置されていないものもある。このようなパラメータは一般に、スイッチを手動で切り換えたり、音声増幅器に他の類似の手動調整つまみを形成したりすることにより調整する。従って、リモートインターフェースシステムを操作しているユーザは、リモート端末と音声増幅器との間を頻繁に往復して、音響再生装置を同調し、調整し、および／または維持する必要がある。
【発明の開示】
【発明が解決しようとする課題】
【０００７】
従って、ローカルユーザインターフェースと、音声増幅器内のパラメータを確認して調整するローカル制御機およびネットワークを介して他の電気機器のパラメータを確認して調整する機能とを含む音声増幅器が必要である。
【課題を解決するための手段】
【０００８】
（要旨）
本発明は、ローカルインターフェースシステムと、パワーステージと協働動作する音声処理システムとを内部に備えた音声増幅器を提供する。ローカルインターフェースシステムは増幅器に配置され、音声増幅器の制御および構成をローカルで操作する機能を形成する。また、ローカルインターフェースシステムは、許可されたユーザに対してだけに確実にアクセスを制限し、エラー報告および他の診断表示についても行う機能を有する。また、ローカルインターフェースシステムを構成して、パケット交換ネットワークを介して他の音声増幅器および／または電気機器と通信する機能を形成することができる。従って、ネットワークに接続した装置内のパラメータを、ローカルインターフェースシステムからネットワークを介して確認して操作することもできる。
【０００９】
ローカルインターフェースシステムは、可視指示とユーザ入力機能とを含む音声増幅器上にユーザインターフェースを含む。可視指示は、複数行のテキストおよび／またはグラフィックスを表示可能な表示装置と、発光ダイオード（ＬＥＤ）等のインジケータとを含む。また、ユーザ入力機能は、少なくとも１つの回転エンコーダと、少なくとも１つのボタンとを含むこともできる。回転エンコーダおよびボタンの機能は、表示装置に表示している画像／テキストに基づいて動的に構成することもできる。音声増幅器とネットワーク上の他の装置とからの入力を、ローカルインターフェースシステムが受信することもできる。また、ネットワーク上の他の装置に対する出力についても、ローカルインターフェースシステムを用いて生成することができる。
【００１０】
ユーザは、表示装置を用いて複数のメニュー画面を介して交渉することもできる。メニュー画面内で、ユーザは、音声増幅器とネットワークに接続した他の装置とを構成、制御および／または監視する機能を持つこともできる。ローカルインターフェースシステムは、アナログおよび／またはデジタル入力／出力機能と、ユーザインターフェース制御装置とを含む。ユーザインターフェース制御装置は、指示を実行して、ユーザと音声増幅器自体が供給する操作入力とからの入力に基づいて、表示装置を駆動することもできる。
【００１１】
音声処理システムを、ローカルインターフェースシステムに接続する。音声処理システムを、インターフェースをパケット交換ネットワークに備えてローカルインターフェースシステムとするように構成する。ローカルインターフェースシステムは、非同期通信リンクを介して音声処理システムと通信することもできる。音声処理システムおよびローカルインターフェースシステムはそれぞれ、増幅器の各種動作パラメータを示す別々の信号を受信することもできる。また、音声処理システムおよびローカルインターフェースシステムはそれぞれ出力信号を生成して、増幅器の動作を指示することもできる。音声処理システムおよびローカルインターフェースシステムのうちの１つへの、あるいはこれからの入力／出力を、シリアルリンク線を介して他のシステムへ通信することもできる。また、音声処理システムおよびローカルインターフェースシステムに格納した指示の更新については、音声処理システムを介して、パケット交換ネットワークを通じて行うこともできる。
【００１２】
音声処理システムに含まれるものは、音声信号制御装置と、パケット交換ネットワークインターフェースと、デジタル信号プロセッサとである。パケット交換ネットワークインターフェースにより、パケット交換ネットワークを介する通信ができるようになる。デジタル信号プロセッサを、少なくとも１つの音声入力信号を受信処理して複数の音声出力信号を生成するよう構成する。デジタル信号プロセッサを、音声信号制御装置が指示するように音声入力信号のゲインを調整するよう構成する。
【００１３】
音声信号制御装置は、ローカルインターフェースシステムからローカルで起動するゲインコマンドまたはパケット交換ネットワークを介して受信するリモートのコマンドに基づいて、デジタル信号プロセッサを指示することもできる。また、デジタル信号プロセッサを、音声信号制御装置により指示して、音声入力信号の処理を動的に調整して、パワーステージの周波数特性を最適化することもできる。パワーステージは、音声出力信号を受信増幅して増幅した音声出力信号を１つ以上のスピーカ等の負荷に供給するよう構成されたスイッチング増幅器出力ステージを含む。
【００１４】
本発明の他のシステム、方法、特徴および利点については、以下の特徴および詳細な説明を考察することにより等業者にとって明白になるであろう。このような他のシステム、方法、特徴および利点は全て、この説明に含まれ、本発明の範囲に含まれ、以下の請求の範囲により保護されるものである。
【００１５】
本発明について、以下の図面および説明を参照してさらに理解することができる。図示の構成部品は、本発明の原理の説明に記載されていなければ、必ずしも拡大縮小、強調されるものではない。また、図中では、全図面を通じて、同じ参照番号を対応する部分に付すものである。
【発明を実施するための最良の形態】
【００１６】
（好適な実施の形態の詳細な説明）
本発明は、音声増幅器用のローカルインターフェースシステムを提供する。ローカルインターフェースシステムは音声増幅器内にあって、音声増幅器のローカル制御および／または構成機能を形成する。また、ローカルインターフェースシステムは、ネットワークに接続した他の装置へのアクセスおよび／または構成を可能にすることもできる。
【００１７】
制御機能は、制御動作および性能に対する音声増幅器パラメータのローカル調整に関わる。また、制御機能は、パケット交換ネットワークを用いて音声増幅器と接続している他のネットワーク構成部品の動作または性能を実行する機能を含むこともできる。構成機能により、音声増幅器およびネットワークに接続した他の装置の各種動作設定を入力し／変更し／確認するローカルインターフェースを提供する。また、エラーログ、警告メッセージ、診断および他の動作に関する表示について、音声増幅器によりローカルでアクセスすることもできる。また、ローカル構成機能により、一意の識別子等を音声増幅器に付加するといったカスタマイゼーションを行う。音声増幅器をパケット交換ネットワークに接続する場合、構成機能はまた、ネットワークに接続した他の装置について入力し、変更しあるいは確認する機能も含むこともできる。また、ネットワークに接続した他の装置が、ローカルインターフェースシステムの構成をリモートで制御したりセットアップしたりすることも可能である。
【００１８】
ここで用いられるように、「パケット交換するネットワーク」または「パケット交換されるネットワーク」という用語は、メッセージをより小さなパケットに分割して送信し、パケットを要求される宛先へ切り換える任意のネットワークベースの通信システムとして定義する。常時ポイントツーポイント回路を確立する必要がある回路の切換と異なり、パケット交換ネットワーク内の各パケットは宛先アドレスを含んでいる。従って、１つのメッセージ内の全パケットが同じ経路をたどる必要はない。どの線を利用できるかによって、ネットワークを介して動的にパケットを転送することができる。宛先の装置が、パケットを適したシーケンスに再構成する。「接続した」というフレーズは、直接接続または１つ以上の中間構成部品を介する間接接続を意味するものとして定義する。このような中間構成部品は、ハードウェアベースおよびソフトウェアベースの構成部品の両方を含むこともできる。
【００１９】
図１は、ローカルインターフェースシステム１０２を含む例示の音声増幅器１００の斜視図である。例示のものでは、音声増幅器１００のハウジング１０４が前面パネル１０６を含む。ローカルインターフェースシステム１０２の一部を前面パネル１０６内に取り付ける。他の例では、ローカルインターフェースシステム１０２を可動スライドアウトパネル、埋込パネルまたは音声増幅器１００の一部として含む、任意の他の取付け形態に取り付けることもできる。
【００２０】
ローカルインターフェースシステム１０２の図示の部分は、表示装置１１０と、複数のインジケータ１１２の形態の目視インジケータとを含むユーザインターフェースである。また、ユーザインターフェースは、複数の回転エンコーダ１１４と、複数のボタン１１６の形態のユーザ入力装置とを含む。他の例では、目視インジケータを、情報を見て確認できる任意の機構とすることもできる。同様に、他の例では、入力装置を、ユーザ入力を受け付ける機能を有する任意の機構とすることもできる。例えば、タッチスクリーンやペンを用いることもできる。
【００２１】
表示装置１１０は、画像、テキスト、任意の他の表示可能パラメータを生成することができる、液晶表示装置（ＬＣＤ）、ブラウン管（ＣＲＴ）、プラズマまたは任意の他の類似の機構とすることもできる。表示装置１１０は、テキストの線や、２次元または３次元のグラフィック画像、チャート等を表示可能なマルチラインキャラクタ表示装置である。各音声チャネルおよび／または単位としての増幅器の英数字ラベルを、ユーザインターフェースを介して設定したり、ネットワークに接続した装置を介してリモートで設定したりして、マルチライングラフィックス表示装置１１０上に表示することができる。また、表示装置１１０は、表示装置用バックライトを含むこともできる。表示装置用バックライトをローカルユーザインターフェースまたはリモートインターフェースを介して設定して、常にオフにしたり、ある時間作動しなかったらオフにしたりすることができる。
【００２２】
インジケータ１１２は、ローカルインターフェースシステム１０２により選択的にオンオフできる発光ダイオードまたは他の目視インジケータとすることもできる。回転エンコーダ１１４は、ユーザ入力を示す信号を生成できる任意の装置とすることもできる。図示の回転エンコーダ１１４は、自由に回転して、回転を示す信号を生成する機能を含む。また、回転エンコーダ１１４は、各回転エンコーダ１１４を押し下げて、ローカルインターフェースシステム１０２に信号を生成することによる押しボタン機能を含むこともできる。
【００２３】
ボタン１１６は、ボタン１１６の１つを押し下げる際に、接点および／または信号を切換えることができる任意の機構とすることができる。例示のものでは、ボタン１１６は「ソフトボタン」である。「ソフトボタン」という用語は、表示装置１１０が認識する動的に調整可能な解像度に基づいた、互換性のある機能を持つボタンをいう。言い換えれば、表示装置１１０が表示するローカルインターフェースシステム１０２の異なる機能エリア内で、作動の際に各種入力機能を有するものとして、ボタン１１６を表示装置１１０内で認識することもできる。また、各ボタン１１６は埋込みＬＥＤインジケータ等のインジケータを含み、光が暗い状態の視認性を形成すること、および／または表示した機能を１つ以上のボタン１１６に対応付けることを表示することもできる。また、回転エンコーダ１１４を、表示装置１１０に画面に応じて互換性のある機能を持つ「ソフト回転エンコーダ」として構成することもできる。
【００２４】
また、ボタン１１６は、メニューロックアウトボタンを含むこともできる。メニューロックアウトボタンは、ロックアウトコマンドを形成して、ローカルインターフェースシステム１０２に対するローカルアクセスを禁止することもできるので、ユーザインターフェースを介しての調整を防止することもできる。また、ロックアウトボタンにより、パケット交換ネットワークを介しての増幅器１００の構成、設定等に対するアクセスを防止することもできる。
【００２５】
メニューロックアウトボタンを隠しボタンとすることもできるし、作動に専用のツールを必要とすることもできる。あるいは、英数字コード等のパスワード、音声認識、指紋、網膜スキャン等の生体情報認識または任意の他の形態のユーザ確認を用いて、パケット交換ネットワークを介するローカルインターフェースシステム１０２および増幅器１００へのアクセスを確実に制限することもできる。
【００２６】
例示のユーザインターフェースの目視インジケータおよびユーザ入力装置に関する例示の構成および機能に説明には、以下を含むこともできる。
【００２７】
左側回転エンコーダ／スイッチ１１４：
・押してメイン選択画面をオンにする。
・デフォルト画面では、ＣＨ１出力減衰器を制御する（リンクしていなければ、両方制御する）
・メニュー画面では、メニュー項目を上下にスクロールして制御する。
・ラベル画面では、次の／前の文字を移動する。
【００２８】
右側回転エンコーダ／スイッチ１１４：
・機能を押す。
・デフォルト画面では、ＣＨ２出力減衰器を制御する（リンクしていなければ、両方制御する）０．５ｄｂずつ増加する。
・メニュー画面では、メニュー項目を上下にスクロールして制御する。
・ラベル画面では、文字選択を制御する。
【００２９】
ボタン１１６
左側：
・Ｓｅｌｅｃｔ：光により、強調したメニュー項目を選択する機能を表示する。
・Ｃｌｅａｒ：ラベル画面では、前のラベルを消して新しいラベルの生成を可能にする。
・Ｓａｖｅ：ラベルを保存可能にして、前のメニューに戻る。
【００３０】
中央：
・Ｉｎｆｏ：当該特定のメニュー項目の情報を表示する。エンコーダにより、ウインドウを介して情報をスクロールさせる。
・Ｂａｃｋ：メニューを前のメニュー項目に戻す。
【００３１】
右：
・Ｅｘｉｔ：任意のメニュー位置から、ウインドウをデフォルト画面に戻す。
【００３２】
インジケータ１１２：
Ｐｏｗｅｒ：増幅器１００のオン／オフ電源スイッチがオンになると光る。
【００３３】
Ｂｒｉｄｇｅ：増幅器１００がブリッジモードになると光る。
【００３４】
Ｄａｔａ：パケット交換ネットワークを介してデータを通信すると光る。
【００３５】
Ｆａｕｌｔ：増幅器１００の出力チャネルが故障で動作していないことを示す。
【００３６】
Ｔｈｅｒｍａｌ：増幅器の出力チャネルが所定の制限温度を超えていて、動作していないことを示す。
【００３７】
Ｃｌｉｐ：増幅器のチャネル出力が設定した限度を超えたことを示す。
【００３８】
−１０：増幅器１００の出力チャネル上の増幅した音声出力信号が所定の閾値、例えばクリップから−１０ｄｂを越えたことを示す。
【００３９】
−２０：増幅器１００の出力チャネル上の増幅した音声出力信号が所定の閾値、例えばクリップから−２０ｄｂを越えたことを示す。
【００４０】
Ｓｉｇｎａｌ：増幅器１００の出力チャネル上の増幅した音声出力信号が事前に定義した限度を超えたことを示す。
【００４１】
Ｒｅａｄｙ：増幅器１００の出力チャネルが現在動作中であって、増幅器１００が待機モードではないことを示す。
【００４２】
増幅器１００を、複数のセキュリティレベルにより不正アクセスおよび／または操作に対して保護することもできる。特徴として、保護しないとパケット交換ネットワークを介してアクセス可能とすることもできる、特定の増幅器制御を保護することを含むこともできる。一例では、増幅器内で、内部パスワードオブジェクト、パスワードエントリオブジェクト、保護フラグオブジェクト等の複数のオブジェクト（状態変数）を生成する指示を介してセキュリティを実行することもできる。
【００４３】
保護フラグオブジェクトは、増幅器１００が保護されているかどうか考慮されているかを示す読出し専用論理オブジェクトとすることもできる。安全な状態では、ソフトウェアにより、特別なやり方で特定の「保護しうる」オブジェクト（状態変数）として扱う必要がある。特に、ユーザが、保護したオブジェクトに対応付けられた値を変更したり、確認したりできないように、保護した構成部品内の保護可能なオブジェクトを隠すこともできる。保護フラグオブジェクトが誤っている場合は、全オブジェクトを変更するか、確認するようにする。この例では、保護フラグオブジェクトがインジケータである。他の例では、保護フラグオブジェクトを１つの指示、一連の指示または増幅器内の機能に対するアクセスを制限する任意の他の機構として実行することもできる。
【００４４】
保護フラグオブジェクトを、内部パスワードオブジェクト等の他のオブジェクト間で相互作用させることにより変更することもできる。内部パスワードオブジェクトは、特別の条件でのみ書き込むことができる書き込み専用テキスト列とすることもできる。パスワードエントリオブジェクトを、パスワードを入力するエリアのみに存在するスクラッチパッドテキストエントリオブジェクトとすることもできる。この例では、パスワードエントリオブジェクトに入力したテキストが内部パスワードオブジェクトに一致する場合に、保護したオブジェクトを変更することもできる。保護したオブジェクトを保護したり、保護しないように変更したりするために一致させる必要がある。
【００４５】
また、他のオブジェクトについては、タグを付して「保護可能」とすることもできる。これらについては特別なやり方で扱うこともできる。一般に、増幅器１００を保護する場合、保護可能であるとマークを付けたオブジェクトを変更することはできない。また、設定がわかるようなオブジェクトに対する操作は、どのようなものでも許可されない。このような保護可能なオブジェクトを、「保護したオブジェクト」として扱うこともできる。
【００４６】
保護したものとして識別された結果、通常保護したオブジェクトを制御したり監視したりする制御は、表示装置１１０には表示されない。オブジェクト群の値を確認する際に、オブジェクトの設定についても省略することもできる。また、保護したオブジェクトの設定が、保護しなければ設定を変更してしまうような変更の影響を受けないようにすることもできる。
【００４７】
安全にしうる増幅器１００内で保護可能であると識別されるオブジェクトの例としては、増幅器１００に格納した事前設定した構成、アナログ信号入力範囲、アナログ入力フェーダ（感度）、デジタル入力フェーダ、ピーク電圧リミッタゲイン減少量、信号遅延値、ピーク出力リミッタイネーブル表示、ピーク出力リミッタ動作開始時間、ピーク出力リミッタ復旧時間、ピークリミッタ上限閾値、出力インバータ制御、フィルタを含む。また、保護していないオブジェクについては、ユーザが保護することもできる。
【００４８】
別の例では、増幅器１００を、第１のセキュリティレベルと第２のセキュリティレベルとを用いて構成することもできる。ユーザが第１のセキュリティアクセスレベルで正常に認証された場合は、第１のセキュリティレベルにより、ローカルインターフェースシステム１０２および／またはネットワークを介したアクセスを行うこともできる。第１のセキュリティレベル内では、認証されたユーザがアクセスして、例えば、所定の動作パラメータ群を確認して、増幅器１００内の所定の群の構成可能な動作パラメータ、制御パラメータ、セットアップパラメータ等を操作することもできる。所定の群とは、機密になっている増幅器の設定を不要に開示したり、誤って操作すると不利益な影響を動作に与えてしまうような設定に対してアクセスを許可したりすることなく、アクセスできるパラメータである。
【００４９】
第２のセキュリティレベルでは同様に、第２のセキュリティアクセスレベルでユーザ認証が正常に行われると、ローカルインターフェースシステム１０２またはパケット交換ネットワークを介してアクセス可能になる。第２のセキュリティレベル内のアクセスは、例えば無制限にすることもできる。他の例では、任意の他のセキュリティレベル数および対応するレベルのアクセスを構成することもできる。従って、音響再生装置レンタル会社等の増幅器１００の所有者は、貸し出す増幅器が不要に再構成されないように保護することもできる。また、他のユーザであるミュージシャンが、増幅器１００自体への物理アクセスを制限する必要なく、増幅器１００の機密の設定や他の動作パラメータを維持することもできる。
【００５０】
図２は、ローカルインターフェースシステム１０２を含む例示の音声増幅器１００のブロック図である。ローカルインターフェースシステム１０２は、ユーザインターフェース２０２内部に表示装置１１０と、インジケータ１１２と、回転エンコーダ１１４と、ボタン１１６とを含む。また、例示の増幅器１００には、音声処理システム２０４と、パワーサプライ２０６と、パワーステージ２０８と、バランス復元フィルタ２１０とが含まれる。例示のものでは、ローカルインターフェースシステム１０２および音声処理システム２０４は別々のシステムとして図示されている。他の例では、ローカルインターフェースシステム１０２および音声処理システム２０４の機能を組み合わせたり、さらに分割したりしてシステムを増設することもできる。また、バランス復元フィルタ２１０は、ローカルインターフェースシステム１０２と音声処理システム２０４とから独立したものとして図示されている。他の例では、バランス復元フィルタ２１０を、ローカルインターフェースシステム１０２または音声処理システム２０４のいずれかに含まれるようにすることもできる。
【００５１】
音声処理システム２０４を、少なくとも１つの音声入力信号２１６を処理して、少なくとも１つの音声出力信号２１８を生成するように構成する。音声入力信号２１６、出力信号２１８を第１のチャネル（ＣＨ１）および第２のチャネル（ＣＨ２）（図示せず）等の１つ以上の音声チャネル上で送信することもできる。第１および第２のチャネル（ＣＨ１）、（ＣＨ２）は、左右のステレオチャネルを表すこともできる。あるいは、第１および第２のチャネルは、重複モノラル信号またはモノラル信号表すこともでき、モノラル信号は反転されている。
【００５２】
また、音声処理システム２０４を、音声増幅器１００を交換パケットネットワーク２２０に接続するように構成することもできる。音声処理システム２０４の構成、制御および監視を、ローカルインターフェースシステム１０２または交換パケットネットワーク２２０を介した通信のいずれかを用いて行うこともできる。従って、パケット交換ネットワーク２２０を介して、および／またはローカルインターフェースシステム１０２から、構成および制御に関連するコマンドを、音声処理システム２０４が受信することもできる。パケット交換ネットワーク２２０を介する通信は、任意の形式のパケット交換通信プロトコルを用いて行うこともできる。
【００５３】
音声処理システム２０４とローカルインターフェースシステム１０２との間の通信は、非同期シリアルインターフェース等の通信リンク２２２を介して行うこともできる。非同期シリアルリンクは、ユニバーサル非同期送受信機（ＵＡＲＴ）または他の類似の通信装置を介した送信（ＴＸ）および受信（ＲＸ）通信プロトコルを用いることもできる。従って、音声処理システム２０４は、ユーザインターフェースシステム１０２とパケット交換ネットワーク２２０との間で通信することもできる。このように、任意のネットワークに接続した他の装置が、音声処理システム２０４を介して、コマンドとデータとをユーザインターフェースシステム１０２に送信することが可能である。また、コマンドとデータとをパケット交換ネットワーク２２０および音声処理システム２０４を介して送信して、ユーザによるユーザインターフェース２０２との物理相互作用を行うことなく、ローカルシステムインターフェース１０２に格納した指示を編集および／または置換することもできる。
【００５４】
パワーサプライ２０６は、必要な大きさおよび量のＤＣ電源を、ローカルインターフェースシステム１０２と、音声処理システム２０４と、バランス復元フィルタ２１０と、パワーステージ２０８のＤＣ線とに供給することが可能な任意の形式のパワーサプライとすることもできる。パワーサプライ２０６は、ＡＣ電源からのＡＣ入力電圧を受け取ることができる。また、パワーサプライ２０６は、ライン電圧の大きさを表す信号と、パワーサプライ２０６の温度を表す信号と、パワーサプライ２０６の出力電流の大きさを示すパワーサプライ電流信号とを供給することもできる。
【００５５】
一例では、パワーサプライ２０６は、電源要因の補正を行う調整スイッチモードパワーサプライであって、出願中の米国特許出願シリアル番号１０／６２６、４３３、スタンリー（Ｓｔａｎｌｅｙ）、「逆電流コンバータの電源要因を補正するパワーサプライ（Ｏｐｐｏｓｅｄ  Ｃｕｒｒｅｎｔ  Ｃｏｎｖｅｒｔｅｒ  Ｐｏｗｅｒ  Ｆａｃｔｏｒ  Ｃｏｒｒｅｃｔｉｎｇ  Ｐｏｗｅｒ  Ｓｕｐｐｌｙ）」、または米国特許出願シリアル番号１０／６１６、１４９、スタンリー、「直列交互ブーストコンバータの電源要因を補正するパワーサプライ（Ｓｅｒｉｅｓ  Ｉｎｔｅｒｌｅａｖｅｄ  Ｂｏｏｓｔ  Ｃｏｎｖｅｒｔｅｒ  Ｐｏｗｅｒ  Ｆａｃｔｏｒ  Ｃｏｒｒｅｃｔｉｎｇ  Ｐｏｗｅｒ  Ｓｕｐｐｌｙ）」に記載されている。これらは共に、引例としてここに組み込まれている。
【００５６】
パワーステージ２０８は、音声増幅器１００内の、処理した音声出力信号２１８の大きさを増加する増幅ステージである。増幅した音声出力信号２２４を、パワーステージ２０８からの出力として供給することもできる。一例では、増幅器１００をステレオモードで動作するように構成する場合は、増幅した音声出力信号２２４を第１のチャネル（ＣＨ１）と第２のチャネル（ＣＨ２）とに供給して、第１および第２のスピーカ等の別々の負荷を駆動することもできる。あるいは、増幅器１００をモノラルモードで動作するように構成する場合は、パワーステージ２０８の第１および第２のチャネル（ＣＨ１、ＣＨ２）を直列で接続して、スピーカ等の１つの負荷を駆動することもできる。他の例では、パワーステージ２０８が任意の数のチャネルを形成して、別々の独立した負荷を駆動することもできる。
【００５７】
パワーステージ２０８は、スイッチング増幅器出力ステージと、出力フィルタとを含む（図示せず）。出力フィルタは、パワーステージが電力を供給する負荷の影響を受ける周波数特性を有する。従って、出力フィルタは、周波数依存の出力インピーダンスを有する。パワーステージ２０８は、逆電流パワーコンバータを含むこともできる。これは、米国特許第５、６５７、２１９号、スタンリー、「逆電流パワーコンバータ（Ｏｐｐｏｓｅｄ  Ｃｕｒｒｅｎｔ  Ｃｏｎｖｅｒｔｅｒ）」に記載されている。これは、ここに引例として組み込まれている。あるいは、パワーステージ２０８は、音声電源増幅器用のパルス幅変調スイッチモードまたは出力ステージの任意の他の形態を含むこともできる。一例では、出力ステージは、増幅器１００の構成と、パワーステージ２０８が駆動する負荷とにより、約１２５０ワットから約８０００ワットの範囲で増幅した出力信号を生成することができる。
【００５８】
バランス復元フィルタ２１０は、増幅器１００内のコモンモードノイズを最小にするようにバランスをとるデジタルアナログ復元フィルタである。パワーステージ２０８の駆動電圧としてのパワーステージ２０８のゲインを増大する代わりに、バランス復元フィルタ２１０を用いる。一般に、バランス復元フィルタ２１０は、これを用いないと１つの端部のフィルタが行うようになる動作を共有する２等分にしたものを含む。従って、処理した音声出力信号２１８の信号の大きさを２分割するので、バランス復元フィルタ２１０内で構成部品に加えられる電圧や電流を分割する。従って、駆動電圧の高い方の電圧は、バランス復元フィルタ２１０内の構成部品の定格を越えない。
【００５９】
図３は、バランス復元フィルタ２１０の例示の概略回路図である。バランス復元フィルタ２１０は、２等分した第１のサブフィルタ３０２と、第２のサブフィルタ３０４とを含む。また、バランス復元フィルタ２１０は、ゲイン設定抵抗器３０６を含む。ゲイン設定抵抗器３０６を、第１および第２のサブフィルタ３０２、３０４の間で共有して、電流および電圧のバランスを２等分して維持するように構成する。従って、第１および第２のサブフィルタ３０２、３０４は自己補正バランスを含み、電圧および電流フローをそれぞれのサブフィルタ３０２、３０４内でおよそ等しくなるように維持する。また、接地接続３０８も、第１および第２のサブフィルタ３０２、３０４の間で共有する。
【００６０】
第１および第２のサブフィルタ３０２、３０４はそれぞれ、増幅器３１０と、複数の抵抗器３１２と、複数のキャパシタ３１４と、複数の帰還抵抗器３１６とを含む。増幅器３１０は、新日本無線社（ＪＲＣ）のＮＪＭ２０４３Ｍ等の低雑音バイポーラ動作増幅器とすることもできる。帰還抵抗器３１６は、およそ同じ抵抗を有し、第１および第２のサブフィルタ３０２、３０４の間でさらにバランスをとる。第１および第２のサブフィルタそれぞれの増幅器３１０、抵抗器３１２、３１６、キャパシタ３１４の構成は、３次のサレン・キーフィルタ設計基準と同じである。
【００６１】
動作中、音声出力信号２１８の１つをバランス復元フィルタ２１０に供給する。音声出力信号２１８は、正のチャネル（ＣＨ１＋）３２０と負のチャネル（ＣＨｌ−）３２２とを有するバランス入力信号である。従って、複数の音声出力信号２１８があれば、同じ数のバランス復元フィルタ２１０を備えることもできる。
【００６２】
正のチャネル３２０の音声出力信号２１８の部分を第１のサブフィルタ３０４に供給し、負のチャネル３２２の音声出力信号２１８の部分を第２のサブフィルタ３０６に供給する。このように、音声出力信号の電圧および電流の大きさを、第１のサブフィルタ３０４と第２のサブフィルタ３０６との間で分割する。電圧および電流の大きさを効果的に２等分するので、パワーステージ２０８のゲインを、音声出力信号２１８の駆動電圧の大きさの増加と同じようにしておくこともできる。その結果、信号ノイズ比を向上させることもできる。濾波の後で、正のチャネル３２４と負のチャネル３２６とを合成して、濾波した音声出力信号２１８を入力としてパワーステージ２０８に供給する。
【００６３】
図４は、ローカルインターフェースシステム１０２と、音声処理システム２０４と、パワーステージ２０８と、バランス復元フィルタ２１０とを含む音声増幅器１００のさらに詳細な例示のブロック図である。ローカルインターフェースシステム１０２は、ユーザインターフェース２０２と、ユーザインターフェース制御装置４０２と、アナログデジタル（Ａ／Ｄ）コンバータ４０４と、プログラム論理装置４０６とを含むこともできる。他の例では、ローカルインターフェース制御装置４０２を省略することもでき、ローカルインターフェース制御装置４０２の機能を増幅器１００のいずれかの部分で実行することもできる。
【００６４】
ユーザインターフェース制御装置４０２は、ローカルインターフェースシステム１０２の機能を行うメモリ装置４０８に格納した指示を実行できる任意のプロセッサとすることもできる。例示のものでは、ローカルインターフェース制御装置４０２は、音声増幅器１００に対応付けられた指示と作動データとを格納する実装メモリ装置４０８を含む。他の例では、フラッシュメモリ、ランダムアクセスメモリ（ＲＡＭ）または任意の他の形態の電子メモリ等の別のメモリ装置（図示せず）を音声増幅器１００内に配置して、指示と作動データとを格納することもできる。ローカルインターフェース制御装置４０２は、音声増幅器１００と一体になっている部分である。
【００６５】
図１、図４を参照すると、ユーザインターフェース制御装置４０２は、図１を参照して説明した回転エンコーダ１１４およびボタン１１６等のユーザ入力を受け付けるように構成することもできる。また、ユーザインターフェース制御装置４０２は出力を供給して、表示装置１１０およびインジケータ１１２を駆動することもできる。一例では、メモリ４０８に格納した指示をユーザインターフェース制御装置４０２が実行して、表示装置１１０内の複数のメニュー画面に表示することもできる。
【００６６】
以下を含む一連のメニュー画面と、対応する入力および出力との一例である。
【００６７】
デフォルトメニュー：
・２つの音声チャネルの減衰器の設定を表示する。
・使用されていない制御が所定時間経過した後で、増幅器をデフォルトにしてこの画面へ戻すこともできる。
・静止、バナー、またはスクロールか選択して、ユーザ入力ラベルを表示する。
【００６８】
選択メニュー：
これは、デフォルトメニューで３つのメインメニューを選択するのと同時に、ボタン１１６の１つを押すことにより選択する初期メニューである。
【００６９】
モニタメニュー：
・ＣＨＩ  ＴＥＭＰ：ＣＨ１の増幅器の温度を示す。０℃〜＋１００℃まで１℃ずつ増加する。
・ＣＨ２  ＴＥＭＰ：ＣＨ２の増幅器の温度を示す０℃〜＋１００℃まで１℃ずつ増加する。
・ＰＳ  ＴＥＭＰ：パワーサプライ２０６の温度を示す。０℃〜＋１００℃まで１℃ずつ増加。
・ＩＮＴ  ＴＥＭＰ：増幅器１００内部の温度を示す。０℃〜＋１００℃まで１℃ずつ増加する。
・ＡＣ電源：パワーサプライ２０６を供給するＡＣ電源の電圧を示す。９０ＶＡＣ〜２６０ＶＡＣの範囲で１ＶＡＣずつ増加する。
・ＣＨ１負荷：測定した負荷インピーダンスを表示する。０オーム〜２５５オームの範囲で、パワーステージ２０８と結合した負荷が１オームずつ増加する。
・ＣＨ２負荷：測定した負荷インピーダンスを表示する。０オーム〜２５５オームの範囲で、パワーステージ２０８と結合した負荷が１オームずつ増加する。
・ＦＡＮ１  ＳＰＤ：ファン１の速度を毎分回転数示す。０ｒｐｍ〜１０，０００ｒｐｍの範囲で１００ｒｐｍずつ増加する。
・ＦＡＮ２  ＳＰＤ：ファン２の速度を毎分回転数示す。０ｒｐｍ〜１０，０００ｒｐｍの範囲で１００ｒｐｍずつ増加する。
・ＯＰ  ＨＲＳ：待機中も含め増幅器１００に何時間電力が供給されたか示す。１時間毎の増加等の所定の増加である。
・ＳＮ＃：増幅器１００のシリアル番号を示す。
【００７０】
設定メニュー：
・ＣＨ１ラベル：ＣＨ１に対応付けられた８文字ラベル。デフォルト＝ＣＨ１。
・ＣＨ２ラベル：ＣＨ２に対応付けられた８文字ラベル。デフォルト＝ＣＨ２。
・ＡＭＰラベル：増幅器用１６文字ラベル。
・ＡＴＴＮリンク：音声出力チャネルの減衰制御のリンクを切り換える。「ＯＮ」の時、全音声出力チャネルは共に減衰する。デフォルト＝ＯＦＦ。
・ＣＨ１  ＳＥＮＳ：０ｄｂ〜−８０ｄｂの間の感度を表示する。０．５ｄｂずつ増加する。デフォルト＝０．０ｄｂ。
・ＣＨ２  ＳＥＮＳ：０ｄｂ〜−８０ｄｂの間の感度を表示する。０．５ｄｂずつ増加する。デフォルト＝Ｏ．Ｏｄｂ。
・ＡＴＴＮ１  ＬＭＴ：０ｄｂ〜−８０ｄｂの間の感度を表示する。０．５ｄｂずつ増加する。デフォルト＝０．０ｄｂ。
・ＡＴＴＮ２  ＬＭＴ：０ｄｂ〜−８０ｄｂの間の感度を表示する。０．５ｄｂずつ増加する。デフォルト＝０．０ｄｂ．
・ＢＲＩＤＧＥ  ＭＯＤＥ：増幅器を「ステレオ」または「モノラル」モードのいずれかにする。デフォルト＝ＳＴＥＲＥＯ。
・ＩＮＰＵＴＹ：増幅器を１つの音声入力を行うように構成して、音声入力信号として２つのチャネルに供給する。デフォルト＝ＯＦＦ。
・ＣＬＩＰ  ＣＯＭＰ：クリップコンプレッサをオンにする。デフォルト＝ＯＦＦ。
・ＳＬＥＥＰ：スリープモードにする。デフォルト＝ＯＦＦ。
・ＬＥＤ  ＳＲＣ：増幅器信号ＬＥＤの電源を選択する。デフォルト＝ＩＮＰＵＴ。
・ＬＡＮＧＵＡＧＥ：表示する言語を選択する。英語、仏語、独語、スペイン語。デフォルト＝ＥＮＧＬＩＳＨ。
・ＣＯＮＴＲＡＳＴ：表示装置のコントラストを１６段階で決定する。１６＝フルコントラスト、０＝コントラストなし。デフォルト＝１６。
・Ｂ／Ｌ  ＳＬＥＥＰ：バックライトスリープ時間。表示装置のバックライトがオフになってから制御が機能しない時間を示す。０秒〜３００秒の間で１秒ずつ増加する。デフォルト＝６０秒。
・ＰＡＳＳＷＯＲＤ：一意のコードを設定して、ローカルアクセスできるようにする。デフォルト＝ＯＦＦ。
・ＣＬＩＰ  ＬＩＭ：クリップＬＥＤ感度を設定する。０ｄｂ〜−８０ｄｂの間で０．５ｄｂずつ増加する。デフォルト＝０．０ｄｂ。
・ＳＰＩ  ＬＩＭ：信号存在インジケータＬＥＤ感度を設定する。０ｄｂ〜−８０ｄｂの間で０．５ｄｂずつ増加する。デフォルト＝−６０ｄｂ。
・ＥＲＲ  ＲＰＴ：エラー報告をオン／オフする。デフォルト＝ＯＦＦ。
・ＥＲＲ  ＬＯＧ：エラーログをオン、オフ、リセットする。
【００７１】
表示メニュー：
表示可能な項目を構成して表示する。また、各項目をどのように表示するか構成する。以下は、各項目を選択可能な例示の選択である。
・ＮＯＮＥ：デフォルトメニュー画面上に項目を表示しない。
・ＢＡＮＮＥＲ  ＵＰ：デフォルトメニュー画面の一番上に項目を表示する。複数の項目を選択する場合、選択した項目が交互に行われる。
・ＢＮＡＮＮＥＲ  ＤＯＷＮ：デフォルトメニュー画面の一番下に項目を表示する。複数の項目を選択する場合、選択した項目が交互に行われる。
・ＳＣＲＯＬＬ  ＵＰ：デフォルトメニュー画面の一番上の端から端まで項目をスクロールする。複数の項目を選択する場合、連続してスクロールする。
・ＳＣＲＯＬＬ  ＤＯＷＮ：デフォルトメニュー画面の一番下の端から端まで項目をスクロールする。複数の項目を選択する場合、連続してスクロールする。いくつか項目のスクロールを選択し、他のものがバナーである場合、スクロールとバナーとが交互に行われる。
【００７２】
再び図４を参照すると、Ａ／Ｄコンバータ４０４は、アナログ信号をデジタル信号に変換でき任意の装置である。プログラマブル論理装置（ＰＬＤ）４０６は、プログラムして複雑な機能を実行できる任意の集積回路である。音声増幅器１００内で、ＰＬＤ４０６をプログラムして、デジタル入力を処理してデジタル出力を供給することもできる。特に、ＰＬＤ４０６プログラムして、デマルチプレクサ、入力ラッチ、出力ラッチおよび同期シリアルインターフェース（ＳＳＤ）の機能を含むこともできる。この機能を用いて、ＰＬＤ４０６が主としてユーザインターフェース制御装置４０２用のＩ／Ｏポート拡張機構として機能し、ＳＳＩ通信バスを介してユーザインターフェース制御装置４０２と通信することもできる。
【００７３】
音声処理システム２０４は、デジタル信号プロセッサ（ＤＳＰ）４１６と、音声信号制御装置４１８とを含む。デジタル信号プロセッサ４１６は任意の形式のフルデジタルプロセッサであって、指示、論理タスクおよび／またはオペレーティングコードを実行して、増幅器１００内でデジタル形式に変換したデジタル情報またはアナログ情報に関する計算および／または任意の他のタスクを行う。ＤＳＰ４１６は、例えば、ＡｎａｌｏｇＤｅｖｉｃｅｓ社の３２ビットＳｈａｒｃデジタルプロセッサである。ＤＳＰ４１６をプログラムして、濾波し、遅延し、スケーリングすることにより、音声入力信号２１６を処理するか、そうでなければ音声入力信号２１６を管理し操作することにより、音声出力信号２１８を生成することもできる。
【００７４】
ＤＳＰ４１６は、音声入力信号２１６を濾波することもできる。一例では、ＤＳＰは、選択的に適用できる６４に割り当て可能なフィルタを含む。フィルタは、オールパス（クロスオーバー）、ローパス、ハイパス、バンドパス、ピークまたはノッチ、高域シェルフ型、ベースシェルフ型等の複数の選択可能なフィルタタイプおよび／または他の音声フィルタ機能を含むこともできる。また、遅延、２秒を超える遅延等の遅延を構成することもできる。また、デュアルアンコリレーテッドノイズジェネレータおよび正弦波ジェネレータを、ＤＳＰ４１６内で実行することもできる。
【００７５】
あるいは、またさらに、フィルタ回路をＤＳＰ４１６とパワーステージ２０８との間に含むこともできる。フィルタ回路は、パワーステージ２０８で生成した各音声出力信号２２４の周波数特性補償用のアナログフィルタを含むこともできる。周波数特性回路を調整して、パワーステージ２０８でのゲインの不一致を補正することもできる。また、フィルタ回路は、増幅した出力音声信号を濾波し、増幅した出力音声信号のＤＣオフセット補正するハイパスフィルタを含むこともできる。高域を濾波してＤＣオフセットを補正した、増幅した音声出力信号を、パワーステージ２０８から帰還信号として音声信号制御装置４１８に供給することもできる。
【００７６】
また、音声入力信号２１６に加えるゲインを調整することにより、音声入力信号２１６のスケーリングを行うようにＤＳＰ４１６を構成することもできる。例えば、ＤＳＰ４１６は、第１のチャネル（ＣＨ１）および第２のチャネル（ＣＨ２）上に供給した音声入力信号２１６を減衰可能な可変ゲインステージ（図示せず）を含むこともできる。可変ゲインステージの減衰を、ゲイン設定により制御することもできる。動作中に、ゲイン設定をＤＳＰ４１６により動的に調整することもできる。また、ＤＳＰ４１６は、音声入力信号の処理を制御して、パワーステージ２０８により音声信号の増幅に有利に影響を与えることもできる。また、ＤＳＰ４１６は、デジタル出力を供給して、パワーステージ２０８を直接制御することもできる。例えば制御方法としては、（米国特許第６、６８３、４９４号、Ｇ・スタンリー、「デジタル信号プロセッサ増大パルス幅変調増幅器（Ｄｉｇｉｔａｌ  Ｓｉｇｎａｌ  Ｐｒｏｃｅｓｓｏｒ  Ｅｎｈａｎｃｅｄ  Ｐｕｌｓｅ  Ｗｉｄｔｈ  Ｍｏｄｕｌａｔｉｏｎ  Ａｍｐｌｉｆｉｅｒ）」に記載されている。これは、ここに引例として組み込まれている。
【００７７】
また、ＤＳＰ４１６は、増幅器１００を構成して、別々の動作モードで動作させることもできる。動作モードは、ステレオモードやモノラルモード等、ＤＳＰ４１６を介する信号経路の各種チャネル構成に関わる。ステレオモードでは、第１のチャネル（ＣＨ１）および第２のチャネル（ＣＨ２）上に供給する異なる音声入力信号２１６を別々に処理して、音声出力信号２１８として供給する。モノラルモードでは、第１のチャネル（ＣＨ１）上に供給する音声入力信号２１６を１つだけ反転して第２のチャネル（ＣＨ２）上に供給するように、ＤＳＰ４１６をブリッジモードに再構成することもできる。従って、音声出力信号２１８は、処理した音声入力信号であって、かつパワーステージ２０８に供給する反転処理した音声入力信号である。従って、第１および第２のチャネルを直列で接続して、第１および第２のチャネルに共に供給する負荷がモノラル信号を受信することもできる。
【００７８】
また、ＤＳＰ４１６をＹスイッチモードに構成することもできる。スイッチモードでは、第１のチャネル（ＣＨ１）上の１つの音声入力信号２１６を処理して、出力音声信号２１８として２つの第１のチャネル（ＣＨ１）および第２のチャネル（ＣＨ２）上に供給して、パワーステージ２０８へ供給することもできる。また、スタジオクオリティダイナミクスおよび周波数整形を行うフィルタ構成についても、ＤＳＰ４１６内で構成することもできる。
【００７９】
ＤＳＰ４１６によるの処理の一部として、音声入力信号２１６を受信して、Ａ／Ｄコンバータ４２２によりデジタル信号に変換することもできる。増幅器１００で受信する際に音声入力信号２１６が既にデジタル形式になっている場合は、しかしながら、ＡＤコンバータ４２２を省略することもできる。Ａ／Ｄコンバータ４２２を省略する場合は、デジタル音声入力信号はＤＳＰ４１６と同じサンプリングレートを持ったり、クロック情報を含んだりすることもできる。あるいは、サンプリングレートコンバータまたは他の類似の変換装置を用いることもできる。デジタルアナログコンバータ４２４は、ＤＳＰ４１６が処理したデジタル信号をアナログ領域に変換して、音声出力信号２１８を生成することもできる。
【００８０】
ＤＳＰ４１６による制御および処理は、ＤＳＰ４１６へのデジタル入力として利用可能な音声入力信号２１６および／または動作パラメータに基づくこともできる。例えば増幅器の動作パラメータといったデジタル入力や、増幅した出力信号２２４に関するパラメータや、増幅器１００に送られる外部信号等は、直接ＤＳＰ４１６に供給する。また、動作パラメータおよび制御信号は、通信インターフェース４２６を介して音声信号制御装置４１８がＤＳＰ４１６へ供給することもできる。通信インターフェースは、同期シリアルインターフェース（ＳＳＩ）バス等の任意の形式の通信とすることもできる。
【００８１】
音声信号制御装置４１８は、ネットワーク通信および入力／出力機能を有する任意の形式の処理装置とすることもできる。また、音声信号制御装置４１８は、指示、論理タスクおよび／またはオペレーティングコードを実行して、音声増幅器１００内の音声信号処理に関する全体的な機能管理、計算、入力／出力制御等を行うことが可能な、任意の形式のプロセッサとすることもできる。例示のものでは、音声処理システム２０４は、音声信号制御装置４１８に接続したメモリ装置４３０を含む。
【００８２】
メモリ装置４３０は、増幅器１００に関する指示、データおよび動作パラメータを格納可能な任意の形式のデータ記憶装置とすることもできる。音声信号制御装置４１８は、メモリ装置４３０に格納した指示を実行する。また、音声信号制御装置４１８は、動作パラメータと、通信リンク２２２を介してメモリ装置４３０内のローカルインターフェースシステム１０２から受信した任意の他の情報を格納することもできる。従って、動作ログ、診断、エラーログ等は、音声信号制御装置４１８に従い、メモリ装置４３０に格納されるようになる。あるいは、このような動作情報は、メモリ４０８内のユーザインターフェース制御装置または任意の他のメモリ装置に従うように、および／またはこの中に格納されるようにすることもできる。別の代案は、動作情報を、パケット交換ネットワーク２２０を介して通信して、増幅器１００が後からリモートでアクセスして格納することもできる。
【００８３】
また、音声信号制御装置４１８は、増幅器１００の動作に関する動作パラメータを示すアナログ信号を受信するＡ／Ｄコンバータ４３２を含むこともできる。Ａ／Ｄコンバータ４３２は、シーラスロジック（Ｃｉｒｒｕｓ  Ｌｏｇｉｃ）２４ビット／９６ｋＨｚデルタシグマコンバータとすることもできる。アナログ信号を、Ａ／Ｄコンバータ４３２を介して音声信号制御装置４１８で受信することもできる。例示のものでは、音声信号制御装置４１８が音声入力信号２１６の入力レベルを受信する。また、音声信号制御装置４１８は、ＤＳＰ４１６が現在増幅器音声歪み、熱等のために音声出力信号２１８をクリップしているかどうかという状態を受信することもできる。また、音声信号制御装置４１８は、各増幅した音声出力信号２２４の出力電圧および電流を受信することもできる。また、パワーサプライ２０６（図２）からの電流および電圧表示等のライン電圧の状態を、音声信号制御装置４１８により受信することもできる。あるいは、供給電圧が所定の範囲内にあることを示すパワーサプライ２０６（図２）からの接点閉鎖の表示または他の形態の表示を、音声信号制御装置４１８が受信することもできる。
【００８４】
また、ＤＳＰ４１６が実行する指示を更新する以外に、音声信号制御装置４１８は、音声入力信号２１６の処理中に用いられるような動作パラメータについても供給することもできる。設定、制御信号またはパラメータに関する任意の他の処理を、音声信号制御装置４１８によりＤＳＰ４１６に通信する。設定は、フィルタ構成、遅延、チャネル構成等を含むこともできる。制御信号は、可変ゲインステージ、フィルタ調整等のゲインを含むこともできる。
【００８５】
また、音声信号制御装置４１８は、音声入力信号２１６の処理中に指示を実行することにより、ＤＳＰ４１６による処理を制御することもできる。音声信号制御装置４１８は、ＤＳＰ４１６が音声増幅器１００に供給する入力音声信号２１６をスケーリングし、濾波し、あるいは変更するように指示することもできる。例えば、音声信号制御装置４１８は、パワーステージ２０８に供給する増幅した音声出力信号２２４の出力電圧および電流に基づいて、音声入力信号２１６の処理中に動的にスケールを調整することもできる。
【００８６】
また、増幅した音声出力信号２２４を、音声信号制御装置４１８が受信してバッファすることもできる。音声信号制御装置４１８は、増幅した音声出力信号２２４をメモリ４３０に格納した、−４０ｄＢ等の決定した閾値と比較することもできる。閾値を越えていると、信号が存在するかどうか示す信号を、音声信号制御装置４１８がユーザインターフェース制御装置４０２に通信することもできる。信号が存在するかどうか示す信号の受信に応じて、ユーザインターフェース制御装置４０２は、インジケータアレイ１１２内の信号存在インジケータ（ＳＰＩ）を点灯することもできる。
【００８７】
別の例では、音声信号制御装置４１８は、パワーサプライ２０６（図２）に供給する供給電圧および電流の大きさに基づいてＤＳＰ４１６に含まれる可変ゲインステージのゲインを動的に調整することもできる。従って、音声入力信号２１６を減衰して、パワーサプライ２０６が受ける電流を制御することもできる。この制御を、パワーサプライ２０６が要求する電流を大きくすることにより、供給電圧をパワーサプライ２０６に供給する供給線での電圧低下を大きくして実行することもできる。電流需要を増加することによって増幅器１００が停止して結果として電圧が低下する代わりに、音声入力信号を音声信号制御装置４１８により減衰して、パワーサプライ２０６の電流消費を低下することもできる。
【００８８】
また、音声信号制御装置４１８により、ＤＳＰ４１６を音声入力信号の処理２１６を動的に調整して、パワーステージの周波数特性２０８を最適化するようにさせることもできる。ダイナミックまたは自動調整は、ＤＳＰ４１６が行う濾波、遅延または処理に関する任意の他の周波数への変化に関わることもある。
【００８９】
音声信号制御装置４１８は、増幅した出力信号２２４の出力電流および電圧を監視することもできる。所定の動作特性に基づいて、パワーステージの周波数特性２０８を最適化することもできる。例えば、増幅した音声出力信号の大きさに起因する熱により変化する周知の歪み特性を有するスピーカを補償することもできる。この例では、音声信号制御装置４１８は、濾波を動的に調整して、増幅した音声出力信号２２４に予歪を持たせることもできる。予歪により、熱により生成した歪みを相殺する作用を形成することもできる。従って、パワーステージの周波数特性を最適化するようになる。
【００９０】
別の例では、所定の周波数閾値を下回ってしまって、スピーカからほとんど音が聞こえないこともある。音声入力信号が周波数閾値を下回っていてパワーステージ２０８の周波数特性を最適化する場合には、音声信号制御装置４１８は、ＤＳＰ４１６による処理中に濾波を動的に調整することもできる。
【００９１】
また、ＤＳＰ４１６と音声信号制御装置４１８とが協働動作して、音声増幅器１００を動的に診断し、キャリブレーションを行ってパワーステージの周波数特性２０８を最適化することもできる。例えば、ＤＳＰ４１６と音声信号制御装置４１８とは、増幅した音声出力信号２２４に基づいて、音声入力信号２１６の濾波を動的に同調する。音声信号制御装置４１８は、所定の音声入力信号である同調トーンをメモリ４３０に格納することもできる。同調トーンは、人間の可聴範囲外の周波数、可聴クリックまたは処理および増幅可能な任意の他のプログラム材料とすることもできる。
【００９２】
起動中は、所定の時間、あるいは、自動または手動で始動できるある他の診断イベント中は、音声信号制御装置４１８は同調トーンをＤＳＰ４１６に供給することもできる。ＤＳＰ４１６は、同調トーンを処理し音声出力信号２１８を生成することもできる。音声出力信号２１８をバランス復元フィルタ２１０で濾波しパワーステージ２０８で増幅して、増幅した音声出力信号２２４を生成することもできる。
【００９３】
音声信号制御装置４１８は、同調トーンに基づいて生成した増幅した音声出力信号２２４の電流および電圧の大きさを監視することもできる。また、音声信号制御装置４１８は、同調トーンの処理および増幅から予想される所定の増幅音声出力信号をメモリ４３０に格納させることもできる。従って、音声信号制御装置４１８は、格納した所定の増幅した音声出力信号を、同調トーンに基づいて生成した実際に増幅した音声出力信号と比較することもできる。
【００９４】
所定の音声出力信号と実際に増幅した音声出力信号との間の応答エラーに基づいて、音声信号制御装置４１８はＤＳＰ４１６内での濾波を操作して、パワーステージ２０８の周波数特性を同調することもできる。すなわち、濾波を操作して、音声入力信号２１８に対して周波数依存の大きさを調整することもできる。このような同調を行うことにより、個別のチャネル上のゲインにおけるパワーステージ２０８での不一致を補正するような最適化した濾波を動的に形成することもできる。また、同調により、増幅器１００が駆動するスピーカ等の実際の負荷を補償することもできる。また、パワーステージ２０８の周波数特性が基本的にフラットになるように、等化調整を行うこともできる。従って、ＤＳＰ２１６を音声信号制御装置４１８により自動的に同調して、意図する特性を生成することもできる。
【００９５】
また、音声信号制御装置４１８は、イーサネット（登録商標）制御装置等のネットワーク制御装置４３４を含むこともできる。ネットワーク制御装置は、物理インターフェース４３６を用いたパケット交換ネットワーク２２０を介して通信するパケット交換通信機能を提供する。物理インターフェース４３６は、ネットワーク互換集積回路または他の類似の装置とすることもできる。ＩＱネットワーク等のパケット交換ネットワーク２２０を介する通信は、例えば、イーサネット（登録商標）通信プロトコルを用いて達成することもできる。これは、米国特許第５、８６２、４０１号、バークレー（Ｂａｒｃｌａｙ）「プログラム可能な中央情報制御装置およびアナログ／デジタル制御システム用分散型情報ネットワーク（Ｐｒｏｇｒａｍｍａｂｌｅ  Ｃｅｎｔｒａｌ  Ｉｎｔｅｌｌｉｇｅｎｃｅ  Ｃｏｎｔｒｏｌｌｅｒ  ａｎｄ  Ｄｉｓｔｒｉｂｕｔｅｄ  Ｉｎｔｅｌｌｉｇｅｎｃｅ  Ｎｅｔｗｏｒｋ  ｆｏｒ  Ａｎａｌｏｇ／Ｄｉｇｉｔａｌ  Ｃｏｎｔｒｏｌ  Ｓｙｓｔｅｍｓ）」に記載されている。これは、ここに引例として組み込まれている。また、ＴＣＰ／ＩＰ等の送信制御プロトコル（ＴＣＰ）を用いることもできる。
【００９６】
ネットワーク通信により、音声増幅器１００の入力および／または出力を制御したり、音声処理システム２０４を用いてリモートで監視したりすることを可能にすることもできる。従って、音声信号制御装置４１８は、音声増幅器１００内のＩ／Ｏと、パケット交換ネットワーク２２０を介する通信に用いられるプロトコルとの間で変換する機能を含むこともできる。従って、音声信号制御装置４１８により、パケット交換ネットワーク２２０を介して、音声増幅器１００内の動作パラメータをリモートで監視可能になる。また、デジタル信号プロセッサ４１６と音声信号制御装置４１８とを組み合わせることにより、パケット交換ネットワーク２２０を介して、音声増幅器１００の遠隔操作が可能となる。音声増幅器は、ネットワーク上の装置だけに限られているわけではないことに留意されたい。パケット交換ネットワーク２２０の通信プロトコルに準拠する任意の装置が、ネットワークを介して音声増幅器１００と通信することが可能である。
【００９７】
前に述べたように、制御および通信機能を音声処理システム２０４により構成することもできる。音声処理システム２０４は、各増幅器チャネルの待機コマンド状態を制御することもできる。待機コマンドは、動作しない時間が延長する間は、手動または自動的で音声増幅器１００を待機モードにすることもできる。待機コマンドを、パケット交換ネットワーク２２０またはローカルインターフェースシステム１０２のユーザインターフェース２０２（図２）から供給することもできる。待機モードでは、音声信号制御装置４１８により、パワーステージ２０８がスイッチモード出力ステージの切換を一時停止するように指示することもできる。パワーステージ２０８は、出力ステージ制御線４４０を介して送信される一時停止コマンドの指示を受ける。また、音声信号制御装置４１８は、ローカルインターフェースシステム１０２とデジタル信号プロセッサ４１６との両方から供給される待機信号により、増幅器１００が待機モードであると通信することもできる。待機信号に応じて、ユーザインターフェース制御装置４０２はインジケータ１１２の１つを点灯するようになる。また、ユーザインターフェース制御装置４０２と音声信号制御装置４１８とは共に、待機モード中に音声増幅器１００の動作のエラーを識別することもできる。
【００９８】
また、ユーザインターフェース制御装置４０２は、入力信号を受信して、出力信号を供給する機能（Ｉ／Ｏ）を持つ。入力信号および出力信号は、デジタル信号および／または変換したアナログ信号とすることもできる。ユーザインターフェース制御装置４０２は、音声増幅器１００、ユーザインターフェース２０２、Ａ／Ｄコンバータ４０４、プログラマブル論理装置４０６および／またはパワーサプライ２０６（図２）からの入力を受信することもできる。ライン電圧（ＡＣ電源電圧）、温度データ、パワーサプライ電流および比例パワーサプライ電圧の大きさを、Ａ／Ｄコンバータ４０４を介してパワーサプライ２０６から受信することもできる。また、増幅した出力信号２２４（ＣＨ１、ＣＨ２）それぞれのパワーステージ２０８のヒートシンクの温度を、Ａ／Ｄコンバータ４０４を介してユーザインターフェース制御装置４０２が受信することもできる。
【００９９】
Ａ／Ｄコンバータ４０４は、第１および第２の音声チャネルの温度と、パワーサプライ２０６の内部温度とをアナログデジタル変換する。次に、変換したアナログ信号を、ＳＳＩバスを介してユーザインターフェース制御装置４０２に供給することもできる。また、ライン電圧およびパワーサプライ電流を変換して、ＳＳＩバスを介してユーザインターフェース制御装置４０２に供給することもできる。ユーザインターフェース制御装置４０２が受信したその他の動作パラメータは、パワーステージ２０８の待機状態表示、ハウジング１０４（図１）内部の周囲温度等を含むこともできる。
【０１００】
また、ユーザインターフェース制御装置４０２は、プログラマブル論理装置（ＰＬＤ）４０６を介して音声増幅器に機能を制御することもできる。例示のものでは、プログラマブル論理装置４０６を介してユーザインターフェース制御装置４０２を用いて制御される機能は、冷却ファン速度、スリープイネーブルおよびＩ／Ｏに関する他の論理を含む。
【０１０１】
前に述べたように、ＰＬＤ４０６を、デマルチプレクサ、入力ラッチ、出力ラッチおよび同期シリアルインターフェース（ＳＳＩ）の機能を用いてプログラムすることもできる。「並列」入力出力をＰＬＤ４０６でラッチして、ＳＳＩバスを介してユーザインターフェース制御装置４０２がシリアルで読み出すこともできる。ＰＬＤ４０６の出力ラッチ機能により、ＳＳＩバスを介してユーザインターフェース制御装置４０２からシリアルで送信したデータを変換することもできる。データを、出力ラッチにより音声増幅器１００の各種の面を制御できる並列デジタルデータに変換することもできる。例示のものでは、ＰＬＤ４０６内の出力ラッチ機能が制御信号を送信して、冷却ファンのファン速度を制御し、スリープモードをイネーブルして、ユーザインターフェース制御装置４０２の指示のように、各種の他の制御信号を供給する。
【０１０２】
ユーザインターフェース制御装置４０２は、音声増幅器１００内の１つ以上のファンの速度を制御して、対流冷却を行うこともできる。ファン速度を、複数の速度で変えることもできる。一例では、ユーザインターフェース制御装置４０２からＰＬＤ４０６に動的に４ビット供給して、ファンの速度を変える。ビット構成に基づいて、ファンに供給する電源の大きさを変えることにより、ファンの回転速度をＰＬＤ４０６が変えることもできる。
【０１０３】
入力ラッチ機能により、ＰＬＤ４０６が受信したデジタル出力信号を、ＳＳＩバスを介してユーザインターフェース制御装置４０２がアクセスできるシリアルデータに変換することもできる。例えば、入力ラッチ機能により、音声増幅器１００内の接点閉鎖や他のデジタル信号の状態を監視することもできる。ＰＬＤ４０６の別の機能は、ＳＳＩバスの一部として含まれるイネーブル制御線の多重分離である。ユーザインターフェース制御装置４０２は、２ビットエンコード番号等の決められた識別子を介して特定の装置をイネーブルすることにより、ＳＳＩバスを介してＡ／Ｄコンバータ４０４等の他の装置と「会話」することもできる。ＰＬＤ４０６がデマルチプレクサを用いることにより、ＰＬＤ４０６へのユーザインターフェース制御装置４０２からの通信を識別することもできる。
【０１０４】
また、ユーザインターフェース２０２に関する入力および出力についても、ユーザインターフェース制御装置４０２を用いて制御し、監視することもできる。入力および出力の監視制御は、表示装置１１０（図１）の画像表示制御と、インジケータ１１２（図１）の表示制御と、回転エンコーダ１１４（図１）の作動検出と、ボタン１１２（図１）の作動検出と、メニューロックアウトボタン作動検出とを含む。
【０１０５】
また、ユーザインターフェース制御装置４０２は、音声信号制御装置４１８およびＰＬＤ４０６との前述の非同期通信等の通信プロトコルに形態でのＩ／Ｏを含むこともできる。通信リンク２２２を介する音声信号制御装置４１８との直接の通信および／またはＩ／Ｏ交換の他に、ユーザインターフェース制御装置４０２は、パケット交換ネットワーク２２０で音声信号制御装置４１８を介して通信を行うこともできる。従って、ユーザインターフェース制御装置４０２のＩ／Ｏを、音声信号制御装置４１８と同様にリモートで監視し、制御することもできる。また、ユーザインターフェース制御装置４０２の再プログラムおよび変更を、音声信号制御装置４１８と通信リンク２２２とを用いて、ネットワークを介して行うこともできる。
【０１０６】
通信リンク２２２を介して音声信号制御装置４１８を用いるシリアル通信により、音声信号制御装置４１８が利用可能なユーザインターフェース制御装置４０２への入力を行うこともできる。同様に、音声信号制御装置４１８への入力は、ユーザインターフェース制御装置４０２が利用することもできる。従って、同じ信号を別々に受信する代わりに、信号を１つの制御装置で受信して、通信リンク２２２を介して他の制御装置へ送信することもできる。
【０１０７】
ユーザインターフェース制御装置４０２の出力についても、音声信号制御装置４１８が利用可能とすることもできるし、逆の場合も可能である。また、ユーザインターフェース制御装置４０２は、音声信号制御装置４１８を介してＤＳＰ４１６の処理を指示することもできる。逆に、音声信号制御装置４１８は、動作パラメータ、診断、エラーログまたは表示装置についてのリポート行う等、ユーザインターフェース制御装置４０２および表示装置１１０（図１）についての制御や、インジケータ１１２（図１）の起動を行うこともできる。
【０１０８】
音声処理システム２０４による音声増幅器１００の制御および監視についても、パケット交換ネットワーク２２０を介してリモートパーソナルコンピュータで行うこともできる。ローカル制御についても、ユーザインターフェース制御装置４０２を用いて行うこともできる。ユーザインターフェース制御装置４０２を用いることにより、音声増幅器１００の背面または前面パネルに物理的に配置するスイッチやボタンを手動で調整する必要性が避けられる。手動でのみ調整可能なスイッチやボタンにより、ユーザが適切に音声システムを最適な性能にセットアップできるようにし、許可されていないユーザが設定を変更しないように保護する。
【０１０９】
ユーザインターフェース制御装置４０２と音声処理システム２０４とを組み合わせることにより、任意の設定変更を、ユーザが各システム構成部品のスイッチを物理的に調整する必要なく実行することもできる。また、設定についても、パケット交換ネットワーク２２０の使用を介して、ローカルインターフェースシステム１０２から音声増幅器１００の間でカットアンドペースト（コピー）により行うこともできる。あるいは、設定を、セットアップウィザードを用いて実行することもできる。パスワード等のセキュリティ設定についても、ユーザインターフェース制御装置４０２によりイネーブルして、前に述べたように、音声増幅器の設定に対するアクセスを制限することもできる。
【０１１０】
また、表示装置１１０（図１、図２）を用いて、音声増幅器１００で前に利用可能だった機能をローカルで実行することもできる。設定、増幅器状態およびカスタム構成は全て、ローカルインターフェースシステム１０２を用いて音声増幅器１００でローカルで実行することもできる。また、音声信号制御装置４１８を介したネットワークへのアクセスを、表示装置１１０を用いて実行することもできる。機能は、前に述べたように、一連のメニュー画面を介して表示装置１１０で利用できる。
【０１１１】
表示装置１１０（図１、図２）を用いることにより、パーソナルコンピュータまたは他の外部接続した電算処理装置を用いることなく、エラーリポートを音声増幅器で確認することができる。また、表示装置１１０を用いてエラーログをイネーブルしたりディスエーブルしたりすることができる。また、音声増幅器１００内の音声チャネルを、番号および／または文字等の識別子を用いて一意に識別することもできる。識別子をメモリ４０８および／または４３０に格納して、音声増幅器１００が作動している音声システムの動作中に、表示装置１１０を介してローカルでアクセスすることもできる。
【０１１２】
ＤＳＰ４１６は、第１のチャネルおよび第２のチャネル上の音声入力信号２１６を受信することもできる。ＤＳＰ４１６は、それぞれ第１および第２のチャネルに対応する第１の可変ゲインステージおよび第２の可変ゲインステージを含むこともできる。第１の可変ゲインの状態では、第１のチャネルに供給する音声入力信号のゲインを調整することが可能である。第２の可変ゲインの状態では、第２のチャネルに供給する音声入力信号のゲインを調整することが可能である。パケット交換ネットワーク２２０を介して供給するローカルインターフェースシステム１０２またはゲインコマンドのいずれかにより供給するゲインコマンドを用いて、第１および第２のゲインステージのゲインを調整することもできる。
【０１１３】
表示装置１１０（図１、図２）のメニュー画面を介する調整に基づいて、ユーザインターフェース制御装置４０２により、第１および第２の可変ゲインステージの調を行うこともできる。可変ゲインステージを調整するゲインコマンドを、通信リンク２２２および音声信号制御装置４１８を介してＤＳＰ４１６へ送信することもできる。また、ゲインコマンドを、パケット交換ネットワーク２２０を通じて音声信号制御装置４１８を介してＤＳＰ４１６へ送信することもできる。このように、可変ゲインステージを調整するゲインコマンドを、音声信号制御装置４１８を介してネットワークに接続した他の装置から送信することもできる。また、音声信号制御装置４１８は、可変ゲインステージを用いて入力としてユーザインターフェース制御装置４０２または音声信号制御装置４１８のいずれかへ供給される変数に基づいて、増幅器のゲインを動的に調整することもできる。
【０１１４】
図５は、ローカルインターフェースシステム１０２に含まれる例示のハードウェアの回路概略図である。図示の回路概略図は、表示装置ドライバ回路５０２と、表示装置１１０（図１）をサポートするコントラスト制御回路５０４と、インジケータ１１２をサポートするインジケータドライバ回路５０６とを含む。また、回路概略図は、回転エンコーダ１１４とボタン１１６とを含む。また、周囲温度センサ５０８と、音声スケーリング回路５１０と、低電圧レギュレータ回路５１２と、電源スイッチ回路５１４と、データポート５１６が図示されている。
【０１１５】
表示装置ドライバ回路５０２は、ユーザインターフェース制御装置４０２（図４）からの制御信号に基づいて、表示装置１１０を駆動可能な任意の回路とすることができる。例示のものでは、表示装置ドライバ回路５０２が駆動する表示装置１１０（図１）は、液晶表示装置（ＬＣＤ）である。従って、表示装置ドライバ回路５０２は、ＬＣＤメモリ拡張ドライバ５１８を含む。コントラスト制御回路５０４は、表示装置１１０上に生成するメニュー画面を介して、表示装置１１０のコントラストの制御を行うこともできる。また、バックライト制御装置５０５も含むこともできる。
【０１１６】
インジケータドライバ回路５０６は、ユーザインターフェース制御装置４０２からの制御信号に基づいて、インジケータ１１２（図１）の少なくとも一部を駆動することが可能な任意の装置とすることができる。例示のインジケータはＬＥＤアレイ内のＬＥＤなので、インジケータドライバ回路５０６は、モトローラ社ＭＣ１４４８９等のマルチプレックスＬＥＤドライバとすることもでき、前述のように、「ｔｈｅｒｍａｌ」、「ｃｌｉｐ」、「−２０ｄｂ」、「−１０ｄｂ」、「ｓｉｇｎａｌ」、「ｒｅａｄｙ」、「ｂｒｉｄｇｅｄ」等のインジケータを作動できる。
【０１１７】
また、インジケータドライバ回路５０６は、ボタン１１６に埋め込まれたインジケータを始動することもできる（図５で「メニュー１」、「メニュー２」、「メニュー３」と識別される）。パケット交換ネットワーク２２０（図４）を介してデータが送信される際は、「電源」表示用インジケータ１１２を直接電源インジケータ線５２０が駆動して、「データ」表示用インジケータ１１２を直接データインジケータ線５２２が駆動することもできる。同様に、音声増幅器に「故障」があることを示すインジケータ１１２を故障表示線５２４で駆動することもできる。
【０１１８】
例示の周囲温度回路５０８は、周囲温度信号を測定して、ユーザインターフェース制御装置４０２に供給する温度センサ５３０および増幅器５３２を含む。従って、ユーザインターフェース制御装置４０２が周囲温度を用いることにより、いつ加熱が発生して、直接保護措置をとるか決定することもできる。音声スケーリング回路５１０は、整流入力線５３４上で整流された音声信号を受信することもできる。スケール変更した出力音声信号を、スケール変更音声出力線５３６上に供給することもできる。例えば、整流音声入力信号を１３．５ボルト、スケール変更出力音声信号を５ボルトとすることもできる。
【０１１９】
低電圧レギュレータ回路５１２は、パワーサプライ２０６（図２）が供給するＤＣ電源を直線的に変換することもできる。例えば、ＤＣ５ボルトおよび−２０ボルトを、それぞれＤＣ３．３ボルトおよび５ボルトに変換する。電源スイッチ回路５１４は、電源のオン／オフを制御する機能を音声増幅器１００に構成する。また、電源スイッチ回路５１４は、電源がオンになる際の電源表示５３８を構成する。点滅制御線５３９上に供給される電源ＬＥＤ点滅制御信号を用いてユーザインターフェース制御装置４０２が電源スイッチ回路５１４を無効にしない限り、電源スイッチ回路５１４が作動することにより、電源ＬＥＤ５３８を点灯する。例えば、ユーザインターフェース制御装置４０２は、音声増幅器１００に供給する電源に問題がある場合は、電源ＬＥＤ５３８を点滅することもできる。
【０１２０】
データポート５１６は、ユーザインターフェース制御装置４０２との通信を指示する通信ポートである。例えば、データポート５１６は、ユーザインターフェース制御装置４０２をプログラムするためにラップトップコンピュータを接続することができる１２本のピンコネクタとすることもできる。図示の回転エンコーダ１１４は、３つの出力を含む。時計回りの回転を示すアップ出力５４０と、反時計回りの回転を示すダウン出力５４２と、ひとつの回転エンコーダ１１４の上面を押し込んだことを示すスイッチ出力５４４とである。回転エンコーダ１１４の出力を、ユーザインターフェース制御装置４０２に供給する。ボタン１１６は、ユーザインターフェース制御装置４０２に形成される任意の形式の接点閉鎖とすることもできる。
【０１２１】
図６は、図４を参照して説明した音声信号制御装置４１８とＤＳＰ４１６との協働動作を示す例示のフロー図である。音声入力信号２１６がＤＳＰ４１６に供給されると、動作はブロック６０２で開始する。ブロック６０４では、音声入力信号をＤＳＰ４１６が処理して、音声出力信号２１８として供給する。音声出力信号２１８を、ブロック６０６でバランス復元フィルタ２１０が濾波する。ブロック６０８では、濾波した音声出力信号２１８をパワーステージ２０８で増幅する。
【０１２２】
増幅した音声出力信号２２４を、音声信号制御装置４１８がブロック６１０で監視する。ブロック６１２では、音声信号制御装置４１８が、パワーステージの周波数特性２０８を最適化する必要があるかどうか判定する。前に述べたように、周波数特性の最適化は、キャリブレーション、負荷特性または考慮すべき事項に関連した任意の他の周波数に基づいて行うこともできる。
【０１２３】
音声信号制御装置４１８が周波数最適化する必要はないと判断した場合は、動作はブロック６１０に戻り、監視が続けられる。周波数最適化が必要であると判断された場合は、音声信号制御装置４１８はブロック６１４で、タイミングトーンを音声入力信号としてＤＳＰ４１６に供給する。前に述べたように、同調トーンを起動中または動作中に供給することもできる。同調トーンを動作中に他の音声入力信号と混合する場合は、タイミングトーンを高周波数トーンにしてリスナーからの検知を避けることもできる。同調トーンを起動中または他の診断モードで供給する場合は、同調トーンを可聴トーンまたは非可聴トーンとすることもできる。ブロック６１６では、タイミングトーンをＤＳＰ４１６が処理する。得られる音声出力信号を、ブロック６１８で出力ステージ２０８が増幅する。ブロック６２０では、音声信号制御装置４１８が、得られる増幅した音声出力信号を所定の増幅した音声出力信号と比較する。
【０１２４】
ブロック６２２では、得られる増幅した音声出力信号と所定の音声出力信号とが基本的に同じであると判定される。基本的な類似性は閾値、割合または任意の他の比較を行って所望のレベルの類似性を識別することに基づいて行うこともできる。判定には、応答エラーまたは信号の電流および電圧の大きさの比較が必要である。信号が基本的に同じであれば、動作はブロック６０４に戻る。信号が基本的に同じでなければ、音声信号制御装置４１８はブロック６２４で、ＤＳＰ４１６が処理に関する周波数を調整するように指示する。ブロック６２６では、ＤＳＰ４１６が音声入力信号の周波数処理を動的に調整して、動作はブロック６０４に戻る。
【０１２５】
前述の音声増幅器１００は、ローカルで、そしてパケット交換ネットワークを介して音声増幅器にアクセスし、操作し、制御する機能を構成する。ローカル構成、アクセスおよび制御を、ローカルインターフェースシステムに備えることもできる。リモート構成、アクセスおよび制御を、パケット交換ネットワークを介して行うこともできる。また、ローカルインターフェースシステムを用いてパケット交換ネットワークを介して通信することにより、パケット交換ネットワークに接続した他の装置に対するアクセス、構成、および／または制御を行うこともできる。ローカルアクセスまたはリモートアクセスは、音声処理システムが行うこともできる。音声処理システムは、音声信号制御装置と、協働動作して音声入力信号を処理して音声出力信号を生成するＤＳＰとを含むこともできる。
【０１２６】
ＤＳＰによる音声入力信号の処理を、音声信号制御装置を介して構成して制御することもできる。ＤＳＰの構成および動作を、手動および／または音声信号制御装置を用いて動的に制御することもできる。音声出力信号を、バランス復元フィルタを介してパワーステージへ供給することもできる。バランス復元フィルタで音声出力信号を分割して濾波することにより、濾波した電圧および電流の大きさを低減する。パワーステージは、音声出力信号を増幅するスイッチング増幅器出力ステージを含む。音声信号制御装置とＤＳＰとを用いる協働同調を行って、出力ステージにおける応答エラーを最小化することもできる。
【０１２７】
本発明の各種の実施の形態について説明してきたが、本発明の範囲内でさらに多くの実施の形態や実施例が可能であることが、当業者にとって明らかになるであろう。
【図面の簡単な説明】
【０１２８】
【図１】図１は、ローカルインターフェースシステムを含む例示の音声増幅器の斜視図である。
【図２】図２は、ローカルインターフェースシステムを含む例示の音声増幅器のブロック図である。
【図３】図３は、図２に示す音声増幅器内に含まれるバランス復元フィルタの例示の概略回路図である。
【図４】図４は、ローカルインターフェースシステムを含む例示の音声増幅器のブロック図である。
【図５】図５は、図２、図４に示すローカルインターフェースシステムの一部を示す例示の概略回路図である。
【図６】図６は、図１の音声増幅器の動作を説明するフロー図である。
【図１】
2006514808.tif 000003
【図２】
2006514808.tif 000004
【図３】
2006514808.tif 000005
【図４】
2006514808.tif 000006
【図５】
2006514808.tif 000007
【図６】
2006514808.tif 000008
【国際調査報告】
2006514808.tif 000009
2006514808.tif 000010
2006514808.tif 000011